(57)【特許請求の範囲】
【請求項１】
腹部、左右の臀部上部、及び腰部を含む衣類上部と、
股部、左右の鼠径溝部、左右の臀部下部、及び左右の裾部を含む衣類下部と、を備え、
前記衣類上部は、二重の伸縮性生地によって構成され、
前記衣類下部は、一重の伸縮性生地によって構成され、
前記二重の伸縮性生地と前記一重の伸縮性生地との境界ラインが、前記左右の鼠径溝部の最も高い位置をそれぞれ通っており、
前記衣類上部の上縁には、前記二重の伸縮性生地の折返部が位置しているボトム衣類。
【請求項２】
衣類背面側において、
前記左右の臀部上部同士は、前記衣類上部及び前記衣類下部の後中心に沿う接ぎ線で接合されており、
前記境界ラインと前記接ぎ線との交点が、前記股部よりも上方に位置している請求項１記載のボトム衣類。
【請求項３】
衣類正面側において、
前記境界ラインは、前記左右の鼠径溝部の最も高い位置同士を結ぶように直線状に延びている請求項１又は２記載のボトム衣類。
【請求項４】
衣類正面側において、
前記境界ラインは、前記左右の鼠径溝部の少なくとも一部に沿うように延びている請求項１又は２記載のボトム衣類。
【発明の詳細な説明】
【技術分野】
【０００１】
本発明は、ボトム衣類に関する。
【背景技術】
【０００２】
従来のボトム衣類として、例えば特許文献１に記載のショーツがある。この従来のショーツは、ハイウエスト部とパンティ部とを有している。ハイウエスト部は、弾性糸を編み込んだ二重編地で構成され、パンティ部は弾性糸を編み込んだ一重編地で構成されている。また、例えば特許文献２に記載のタイツでは、パンティ部の左右身頃の上部が強緊締性の二重編地で構成され、パンティ部の左右身頃の下部が脚部上部に至るまで弱緊締性の一重編地で構成されている。また、前身頃において、一重編地と二重編地との間が中緊締性の編地で構成されている。
【先行技術文献】
【特許文献】
【０００３】
【特許文献１】登録実用新案第３０３３３２２号公報
【特許文献２】特開平８−１８８９０２号公報
【発明の概要】
【発明が解決しようとする課題】
【０００４】
上述したようなボトム衣類の着用部位には、着用者の運動による皮膚の伸縮が生じ易い部位と生じ易い部位とが存在している。例えば着用者が腿上げを行った場合、体の正面側では鼠径溝の付近で皮膚が大きく収縮し、体の背面側では臀溝の付近で鼠径溝の２倍程度も皮膚が伸展する。したがって、裾部を有するボトム衣類の下部では、運動時の皮膚の収縮・伸展を考慮し、脚部の動き易さの確保及び着崩れの抑制が必要となる。一方、着用者の腹部及び腰部周りでは、運動による皮膚の収縮・伸展は殆ど生じない。このため、ボトム衣類の上部では、腹部周りを包み込む安定感が求められる。
【０００５】
本発明は、上記課題の解決のためになされたものであり、裾部を有するボトム衣類において、脚部周りの動き易さの確保及び着崩れの抑制と、腹部周りを包み込む安定感とを両立できるボトム衣類を提供することを目的とする。
【課題を解決するための手段】
【０００６】
本発明の一側面に係るボトム衣類は、腹部、左右の臀部上部、及び腰部を含む衣類上部と、股部、左右の鼠径溝部、左右の臀部下部、及び左右の裾部を含む衣類下部と、を備え、衣類上部は、二重の伸縮性生地によって構成され、衣類下部は、一重の伸縮性生地によって構成され、二重の伸縮性生地と一重の伸縮性生地との境界ラインが、左右の鼠径溝部の最も高い位置をそれぞれ通っている。
【０００７】
このボトム衣類では、衣類上部が二重の伸縮性生地によって構成されている。相対的に伸縮パワーが高く且つ伸度が低い二重の伸縮性生地が着用者の腹部周りに宛がわれることで、腹部周りがしっかりと包み込まれ、着用時の安定感が奏される。また、このボトム衣類では、衣類下部が一重の伸縮性生地によって構成され、二重の伸縮性生地と一重の伸縮性生地との境界ラインが、左右の鼠径溝部の最も高い位置をそれぞれ通っている。相対的に伸縮パワーが低く且つ伸度が高い一重の伸縮性生地が運動時に皮膚の収縮が生じ易い鼠径溝の付近と、運動時に皮膚の伸展が生じ易い臀溝の付近とに宛がわれることで、脚部の動き易さの確保及び着崩れの抑制を実現できる。
【０００８】
また、衣類背面側において、左右の臀部上部同士は、衣類上部及び衣類下部の後中心に沿う接ぎ線で接合されており、境界ラインと接ぎ線との交点が、股部よりも上方に位置していてもよい。この構成によれば、接ぎ線が二重の伸縮性生地及び一重の伸縮性生地の伸縮の起点となることで、周方向への生地の伸縮が安定する。したがって、着用時の安定感を一層高められる。
【０００９】
また、ボトム衣類は、衣類上部の上縁において、二重の伸縮性生地の折返部を有していてもよい。この構成によれば、二重の伸縮性生地のうち、肌側の方の生地が着用時に人体に密着し、衣類上部の上縁に位置する折返部を肌側に引っ張るように作用する。したがって、腹部周り及び腰部周りの着崩れを効果的に抑制できる。
【００１０】
また、衣類正面側において、境界ラインは、左右の鼠径溝部の最も高い位置同士を結ぶように直線状に延びていてもよい。このような構成は、編み機を用いた袋編みによって二重の伸縮性生地を構成する場合に有用である。
【００１１】
また、衣類正面側において、境界ラインは、前記左右の鼠径溝部の少なくとも一部に沿うように延びていてもよい。このような構成は、一重の伸縮性生地を折り返し、折り返し部分の先端を折り返し元に縫着して二重の伸縮性生地を構成する場合に有用である。
【発明の効果】
【００１２】
本発明によれば、裾部を有するボトム衣類において、脚部の動き易さの確保及び着崩れの抑制と、腹部周りを包み込む安定感とを両立できる。
【図面の簡単な説明】
【００１３】
【図１】ボトム衣類の正面図である。
【図２】ボトム衣類の背面図である。
【図３】（ａ）（ｂ）は、いずれも衣類上部及び衣類下部の概略断面図である。
【図４】ボトム衣類の着用状態を示す正面図である。
【図５】ボトム衣類の着用状態を示す背面図である。
【図６】ボトム衣類の変形例を示す正面図である。
【発明を実施するための形態】
【００１４】
以下、図面を参照しながら、本発明の一側面に係るボトム衣類の好適な実施形態について詳細に説明する。なお、以下の説明では、便宜上、ボトム衣類の着用状態を想定して「上」「下」等の用語を使用する。
【００１５】
図１は、ボトム衣類の正面図である。また、図２は、その背面図である。図１及び図２に示すボトム衣類１は、例えば妊婦用ショーツとして構成されており、通常のショーツとしての機能に加えて、妊婦の腹部を包み込んで保持する機能を有している。ボトム衣類１は、腹部の保持部として機能する衣類上部２と、ショーツとして機能する衣類下部３とを備えている。
【００１６】
衣類上部２は、着用者の腹部に宛がわれる腹部１１、着用者の臀部上側に宛がわれる左右の臀部上部１２，１２、及び着用者の腰部に宛がわれる左右の腰部１３，１３を含んで構成されている。衣類正面側の腹部１１と、衣類背面側の臀部上部１２，１２及び腰部１３，１３とは、衣類両脇側で互いに連続し、着用者の胴回りを包囲するように筒状をなしている。本実施形態では、衣類上部２が着用者の胴回りを臍部よりも上方の位置まで覆う、いわゆるハイウエストタイプのボトム衣類１となっている。また、衣類上部２の両脇側の外形は、人体における腹部・腰部のくびれ形状に合わせて緩やかに凹状に湾曲していてもよい。
【００１７】
左右の臀部上部１２，１２同士及び左右の腰部１３，１３同士は、図２に示すように、衣類上部２及び衣類下部３の後中心に沿う接ぎ線１４によって互いに縫着されている。接ぎ線１４は、衣類背面側において、衣類上部２の上縁部２ａと股部２１の上縁部２１ｂとを結ぶように、縦方向（上下方向）に一直線状に形成されている。
【００１８】
一方、衣類下部３は、着用者の股間に宛がわれる股部２１、着用者の鼠径溝付近に宛がわれる左右の鼠径溝部２２，２２、着用者の臀部下側に宛がわれる左右の臀部下部２３，２３、及び着用者の大腿部に宛がわれる左右の裾部２４，２４を含んで構成されている。本実施形態では、衣類下部３において、着用者の下腹部に宛がわれる略逆二等辺三角形状の鼠径部２５が設けられており、左右の鼠径溝部２２，２２は、鼠径部２５の一部となっている。鼠径部２５、左右の臀部下部２３，２３、及び左右の裾部２４，２４は、衣類正面側及び衣類両脇側で互いに連続し、全体として、着用者の股間周りを包むように筒状をなしている。
【００１９】
股部２１は、衣類下部３の中央部分において、衣類正面側から衣類背面側にかけて延在し、鼠径部２５、左右の臀部下部２３，２３、及び左右の裾部２４，２４に対して縫着されている。左右の鼠径溝部２２，２２は、略逆二等辺三角形状の鼠径部２５の斜辺部分に相当している。左右の鼠径溝部２２，２２は、衣類正面側において、着用者の鼠径溝に沿うように、衣類脇側と股部２１の上縁部２１ａとを結ぶように直線状に延びている。
【００２０】
左右の臀部下部２３，２３同士は、図２に示すように、衣類上部２及び衣類下部３の後中心に沿う接ぎ線１４によって互いに縫着されている。左右の裾部２４，２４は、左右の鼠径溝部２２，２２及び左右の臀部下部２３，２３からそれぞれ下方に延びている。裾部２４の長さ（すなわち丈の長さ）は、特に制限はないが、裾部２４の下縁部２４ａが股部２１の最下点よりも下方に位置する長さとなっている。
【００２１】
次に、上述した衣類上部２及び衣類下部３の生地構成について説明する。
【００２２】
ボトム衣類１では、図３に示すように、衣類上部２は、二重の伸縮性生地３１によって構成され、衣類下部３は、一重の伸縮性生地３２によって構成されている。つまり、ボトム衣類１では、腹部１１、臀部上部１２、及び腰部１３がいずれも二重の伸縮性生地３１によって構成され、股部２１、鼠径溝部２２を含む鼠径部２５、臀部下部２３、及び裾部２４がいずれも一重の伸縮性生地３２によって構成されている。
【００２３】
本実施形態では、一重の伸縮性生地３２及び二重の伸縮性生地３１は、同一の生地となっている。一重の伸縮性生地３２及び二重の伸縮性生地３１に用いる生地としては、例えば緯編機によって編成される天竺、フライス等の横編地、丸編地、経編機によって編成されるトリコット等の経編地が挙げられる。
【００２４】
二重の伸縮性生地３１及び一重の伸縮性生地３２は、例えば図３（ａ）に示すように、一重の伸縮性生地３２を折り返し、折り返し部分の先端３２ａを折り返し元に縫着することによって形成される。これにより、二重の伸縮性生地３２は、衣類正面側から衣類背面側にかけて連続する袋状となっている。すなわち、二重の伸縮性生地３２における肌側の方の生地と外側の方の生地とは、二重の伸縮性生地３２の上縁、下縁、及び接ぎ線１４を除いて互いにフリーな状態となっている。また、一重の伸縮性生地３２及び二重の伸縮性生地３１は、例えば図３（ｂ）に示すように、編み機を用いた袋編みによって連続的に形成してもよい。袋編みによって二重の伸縮性生地３１を形成する場合、縫着の手間が省かれるため、ボトム衣類１の製造工程の簡素化が図られる。
【００２５】
いずれの場合も、二重の伸縮性生地３１の折返部３３は、衣類上部２の上縁部２ａに位置することとなる。このような始末は、いわゆるワサ始末と称され、テープなどを用いて上縁部２ａの始末を行う場合と比べて、着用時の腹部周り及び腰部周りの締め付け感を低減することが可能となる。
【００２６】
ボトム衣類１では、図１及び図２に示すように、一重の伸縮性生地３２及び二重の伸縮性生地３１の境界ラインＬが、左右の鼠径溝部２２，２２の最も高い位置Ｐ，Ｐをそれぞれ通っている。この位置Ｐは、ボトム衣類１の側中心上に位置しており、着用時において着用者の大転子の位置付近に宛がわれる。
【００２７】
本実施形態では、境界ラインＬは、衣類正面側及び衣類背面側のいずれにおいても、左右の鼠径溝部２２，２２の最も高い位置Ｐ，Ｐを最短で結ぶように横方向（水平方向）に一直線状に連続している。また、図２に示すように、衣類背面側において、境界ラインＬと接ぎ線１４との交点Ｑは、股部２１の上縁部２１ｂよりも上方に位置している。この交点Ｑの位置は、着用時において着用者の尾てい骨の位置に宛がわれる。
【００２８】
図４は、ボトム衣類の着用状態を示す正面図である。また、図５は、その背面図である。上述したように、ボトム衣類１では、衣類上部２が二重の伸縮性生地３１によって構成されている。伸縮性生地が二重であることで、二重の伸縮性生地３１は、一重の伸縮性生地３２に対して伸縮パワーが高く且つ伸度が低くなる。このように、相対的に伸縮パワーが高く且つ伸度が低い二重の伸縮性生地が着用者の腹部周りに宛がわれることで、腹部周りがしっかりと包み込まれ、着用時の安定感が奏される。
【００２９】
一方、ボトム衣類１では、衣類下部３が一重の伸縮性生地３２によって構成されている。また、二重の伸縮性生地３１と一重の伸縮性生地３２との境界ラインＬが、左右の鼠径溝部２２，２２の最も高い位置Ｐ，Ｐをそれぞれ通っている。伸縮性生地が一重であることで、一重の伸縮性生地３２は、二重の伸縮性生地３１に対して伸縮パワーが低く且つ伸度が高くなる。
【００３０】
境界ラインＬが、左右の鼠径溝部２２，２２の最も高い位置Ｐ，Ｐをそれぞれ通るように一直線状に連続していることで、相対的に伸縮パワーが低く且つ伸度が高い一重の伸縮性生地３２が、運動時に皮膚の収縮が生じ易い鼠径溝の付近（図４における領域Ａ）と、運動時に皮膚の伸展が生じ易い臀溝の付近（図５における領域Ｂ）とにそれぞれ宛がわれる。したがって、生地の薄さと伸度の高さにより、脚部の動き易さの確保及び着崩れの抑制を実現できる。
【００３１】
また、ボトム衣類１では、衣類背面側において、左右の臀部上部１２，１２同士が衣類上部２及び衣類下部３の後中心に沿う接ぎ線１４で接合され、境界ラインＬと接ぎ線１４との交点Ｑが、股部２１の上縁部２１ｂよりも上方に位置している（図２参照）。この構成によれば、接ぎ線１４の位置で伸縮性生地が留められるため、接ぎ線１４が二重の伸縮性生地３１及び一重の伸縮性生地３２の伸縮の起点となり、周方向（横方向）への生地の伸縮が安定する。したがって、ボトム衣類１の着用時の安定感を一層高められる。
【００３２】
また、ボトム衣類１では、図３に示したように、衣類上部２の上縁部２ａにおいて、二重の伸縮性生地３１の折返部３３が位置している。この構成によれば、二重の伸縮性生地３１のうち、肌側の方の生地が着用時に人体に密着し、衣類上部２の上縁部２ａに位置する折返部３３を肌側に引っ張るように作用する。この引っ張り力が着用時に折返部３３に常に加わることにより、衣類上部２の上縁部２ａが外側に折れることを防ぎ、腹部周り及び腰部周りの着崩れを効果的に抑制できる。ボトム衣類１では、別々の２枚の伸縮性生地を縫着して二重の伸縮性生地３１を構成するのではなく、衣類上部２の上縁部２ａに折返部３３が位置している。このため、肌側の方の生地からの引っ張り力の伝達がより確実なものとなる。
【００３３】
本発明は、上記実施形態に限られるものではない。例えば上記実施形態では、境界ラインＬが左右の鼠径溝部２２，２２の最も高い位置Ｐ，Ｐを最短で結ぶように横方向（水平方向）に一直線状に連続しているが、境界ラインＬは、必ずしも一直線状でなくてもよく、上方或いは下方に向かって緩やかに湾曲していてもよい。衣類背面側の接ぎ線１４は、必ずしも形成されていなくてもよい。
【００３４】
また、境界ラインＬは、左右の鼠径溝部２２，２２の少なくとも一部に沿うように延びていてもよい。この場合、例えば図６に示すように、境界ラインＬは、衣類正面側において、左右の鼠径溝部２２，２２の脇側部分に沿うように一定の長さで傾斜して直線状に延びる左右の脇側部分Ｌａ，Ｌａと、左右の脇側部分Ｌａ，Ｌａの下端同士を最短で結ぶように横方向（水平方向）に直線状に延びる中央部分Ｌｂとを有していてもよい。
【００３５】
このような構成によれば、着用者の鼠径溝を挟んで上側に二重の伸縮性生地３１が宛がわれ、下側に一重の伸縮性生地３２が宛がわれる。このため、脚部の動き易さを確保しつつ、ボトム衣類１の着用時の安定感が高められる。なお、境界ラインＬを一直線状以外の形状で形成する場合には、図３（ａ）に示したように、一重の伸縮性生地３２を折り返し、折り返し部分の先端を折り返し元に縫着する手法を用いることが好適である。
【００３６】
また、上記実施形態では、ボトム衣類として妊婦用のショーツを例示したが、本発明は、男性用・女性用を問わず、裾部の長さを更に伸ばしたロングタイプのパンツ、タイツ、ステテコといった他のボトム衣類にも適用可能である。また、衣類上部が着用者の胴回りを臍部よりも上方の位置まで覆う、いわゆるハイウエストタイプのボトム衣類であってもよい。
【符号の説明】
【００３７】
１…ボトム衣類、２…衣類上部、３…衣類下部、１１…腹部、１２…臀部上部、１３…腰部、１４…接ぎ線、２１…股部、２２…鼠径溝部、２３…臀部下部、２４…裾部、３１…二重の伸縮性生地、３２…一重の伸縮性生地、３３…折返部、Ｌ…境界ライン、Ｐ…鼠径溝部の最も高い位置、Ｑ…交点。
【図１】
0006761162.tif 000002
【図２】
0006761162.tif 000003
【図３】
0006761162.tif 000004
【図４】
0006761162.tif 000005
【図５】
0006761162.tif 000006
【図６】
0006761162.tif 000007